(57)【要約】【課題】原稿の両面の画像を、撮像素子，導光部，コネクタの位置関係が同一の２つのＣＩＳを用いて読み取る画像読取装置において、撮像素子，導光部の原稿搬送方向に対する配列順序が同じでも電線を容易に配線可能とすること。【解決手段】同一製品のＣＩＳを用いた第１イメージセンサ２１と第２イメージセンサ２２とを前後方向に長尺方向（主走査方向）を揃えて原稿の表裏に対向させると、原稿搬送方向に対する撮像素子Ｓと導光部Ｌとの配列順序を同じにすれば、コネクタの前後方向の位置が異なってしまう。そこで、第２イメージセンサ２２のコネクタに接続された電線は、第２イメージセンサ２２の上方を前後方向に横切って配線される。また、第２イメージセンサ２２を収容するケース９０の上端面９１で前記電線の水平部６２を支持する。【選択図】図７
2014103455.tif 000002
【特許請求の範囲】
【請求項１】
原稿を搬送する搬送部と、
複数の撮像素子の列と、その列に並設された導光部と、前記列の一端側に設けられて前記各撮像素子からの信号を出力するコネクタと、を備え、前記複数の撮像素子の列方向に延び、前記搬送部によって搬送される原稿の一方の面の画像を前記各撮像素子によって読み取る第１読取部と、
複数の撮像素子の列とその列に並設された導光部と前記列の一端側に設けられて前記各撮像素子からの信号を出力するコネクタとを備え、前記複数の撮像素子の列方向に延び、前記撮像素子，前記導光部，前記コネクタの位置関係が前記第１読取部と同一であり、前記搬送部によって搬送される原稿の他方の面の画像を前記各撮像素子によって読み取り、前記撮像素子と前記導光部との前記原稿の搬送方向に対する配列順序が前記第１読取部と同一となる状態で配置され、かつ、前記列方向に対する前記コネクタの位置が前記第１読取部と逆になる状態で配置された第２読取部と、
前記第１読取部の前記コネクタから出力される信号を伝送する第１電線と、
前記第２読取部の前記コネクタから出力される信号を伝送する第２電線と、
前記第１読取部または前記第２読取部のいずれか一方の読取部の、前記原稿の搬送経路とは反対側の裏面よりも前記反対側に位置し、前記列方向に沿って、前記一方の読取部に対応する前記第１電線又は前記第２電線のいずれか一方の電線を支持する支持部と、
を備えたことを特徴とする画像読取装置。
【請求項２】
前記支持部は、前記一方の電線を、前記一方の読取部の筐体の前記裏面から間隔を開けた位置に支持することを特徴とする請求項１に記載の画像読取装置。
【請求項３】
前記支持部は、前記一方の電線を前記搬送方向両側から挟む一対のガイド部を備えたことを特徴とする請求項１又は２に記載の画像読取装置。
【請求項４】
前記各ガイド部及び前記支持部を前記裏面側から覆い、かつ、前記各ガイド部を前記搬送方向外側から覆うカバーを、
更に備えたことを特徴とする請求項３に記載の画像読取装置。
【発明の詳細な説明】
【技術分野】
【０００１】
本発明は、搬送される原稿の画像を読み取る画像読取装置に関する。詳しくは、前記搬送される原稿の一方の面の画像を読み取る第１読取部と、前記搬送される原稿の他方の面の画像を読み取る第２読取部と、を備えた画像読取装置に関する。
【背景技術】
【０００２】
従来、複数の撮像素子の列と、その列に並設された導光部と、前記列の一端側に設けられて前記各撮像素子からの信号を出力するコネクタと、を備えた密着型イメージセンサ（以下、ＣＩＳともいう）が提案されている。また、この種のＣＩＳによって、ローラ等によって搬送される原稿の画像を読み取る画像読取装置において、原稿の両面の画像を、撮像素子，導光部，コネクタの位置関係が同一の２つのＣＩＳを用いて読み取ることも提案されている（例えば、特許文献１参照。）。
【先行技術文献】
【特許文献】
【０００３】
【特許文献１】特開２００８−２２８０４４号公報
【発明の概要】
【発明が解決しようとする課題】
【０００４】
このように、撮像素子，導光部，コネクタの位置関係が同一の２つのＣＩＳを用いて原稿の両面の画像を読み取る場合、同一製品の２つのＣＩＳを使用することが望まれる。なぜならば、２つのＣＩＳとして同一製品を使用することにより、装置の製造コストを低減することができるからである。
【０００５】
ところが、原稿の搬送経路を挟んで２つの同一製品のＣＩＳを対向配置すると、原稿搬送方向に対する撮像素子と導光部との配列順序か、コネクタの幅方向の位置か、いずれか一方が２つのＣＩＳで異なってしまう。なお、前記幅方向とは、原稿の搬送経路に直交し、かつ、原稿の面に平行な方向である（以下同様）。原稿搬送方向に対する撮像素子と導光部との配列順序が２つのＣＩＳで異なると、原稿の先端，後端の検知が難しいといった課題が生じる。特許文献１でも、原稿搬送方向に対する撮像素子と導光部との配列順序を２つのＣＩＳで異ならせているため、読み取られた画像の一方を１８０°反転させるなどの処理が必要となる。
【０００６】
とはいえ、コネクタの位置が幅方向に異なると、各コネクタからの信号を伝送する電線の配線が困難になる。そこで、本発明は、原稿の両面の画像を、撮像素子，導光部，コネクタの位置関係が同一の２つの読取部を用いて読み取る画像読取装置において、撮像素子，導光部の原稿搬送方向に対する配列順序が同じでも電線を容易に配線可能とすることを目的としてなされた。
【課題を解決するための手段】
【０００７】
前記目的を達するためになされた本発明の画像読取装置は、原稿を搬送する搬送部と、複数の撮像素子の列と、その列に並設された導光部と、前記列の一端側に設けられて前記各撮像素子からの信号を出力するコネクタと、を備え、前記複数の撮像素子の列方向に延び、前記搬送部によって搬送される原稿の一方の面の画像を前記各撮像素子によって読み取る第１読取部と、複数の撮像素子の列とその列に並設された導光部と前記列の一端側に設けられて前記各撮像素子からの信号を出力するコネクタとを備え、前記複数の撮像素子の列方向に延び、前記撮像素子，前記導光部，前記コネクタの位置関係が前記第１読取部と同一であり、前記搬送部によって搬送される原稿の他方の面の画像を前記各撮像素子によって読み取り、前記撮像素子と前記導光部との前記原稿の搬送方向に対する配列順序が前記第１読取部と同一となる状態で配置され、かつ、前記列方向に対する前記コネクタの位置が前記第１読取部と逆になる状態で配置された第２読取部と、前記第１読取部の前記コネクタから出力される信号を伝送する第１電線と、前記第２読取部の前記コネクタから出力される信号を伝送する第２電線と、前記第１読取部または前記第２読取部のいずれか一方の読取部の、前記原稿の搬送経路とは反対側の裏面よりも前記反対側に位置し、前記列方向に沿って、前記一方の読取部に対応する前記第１電線又は前記第２電線のいずれか一方の電線を支持する支持部と、を備えたことを特徴としている。
【０００８】
このように、本発明の画像読取装置は、撮像素子，導光部，コネクタの位置関係が同一の、第１読取部と第２読取部とを備えている。そして、その第１読取部，第２読取部を、撮像素子と導光部との原稿搬送方向に対する配列順序が同一になる状態で配置して、原稿の両面の画像を読み取っている。このため、装置の製造コストを低減すると共に、原稿の先端，後端の検出も容易にすることができる。
【０００９】
この場合、前記撮像素子の列方向に対する前記コネクタの位置が、前記第１読取部と前記第２読取部とで逆になる。そこで、本発明では、一方の読取部のコネクタから出力される信号を伝送する一方の電線を、支持部によって、前記一方の読取部の筐体の、前記原稿搬送経路とは反対側の裏面に沿って支持している。このため、本発明では、前記一方の読取部の裏面側の空間を利用して前記一方の電線を幅方向に渡らせることができ、その電線を容易に配線することができる。また、この場合、前記幅方向に渡らされた電線と前記一方の密着型イメージセンサとの間の信号の干渉も抑制され、読み取られた画像のデータに重畳するノイズも低減することができる。
【００１０】
なお、前記支持部は、前記一方の電線を、前記一方の読取部の筐体の前記裏面から間隔を開けた位置に支持してもよい。その場合、前記一方の電線と前記一方の密着型イメージセンサとの間の信号の干渉を一層良好に抑制して、前記ノイズを一層良好に低減することができる。
【００１１】
また、前記支持部は、前記一方の電線を前記搬送方向両側から挟む一対のガイド部を備えていてもよい。その場合、前記一方の電線は前記搬送方向両側からガイドによって挟まれるので、その電線を安定して前記支持部上に保持することができる。また、その場合、密着型イメージセンサから前記一方の電線に静電気が伝わる沿面距離も長くなり、前記ノイズを一層良好に低減することができる。
【００１２】
そして、その場合、前記各ガイド部及び前記支持部を前記裏面側から覆い、かつ、前記各ガイド部を前記搬送方向外側から覆うカバーを、更に備えてもよい。その場合、支持部上に支持された電線及びその支持部の各ガイド部がカバーによって外側から覆われるので、その電線を一層安定して前記支持部上に保持することができる。また、その場合、前記沿面距離が一層長くなり、前記ノイズを一層良好に低減することができる。
【図面の簡単な説明】
【００１３】
【図１】実施形態の複合機を表す斜視図で、（Ａ）は原稿カバー閉鎖時、（Ｂ）は原稿カバー開放時である。
【図２】その複合機の画像読取部の搬送部使用時を表す斜視図である。
【図３】その画像読取部の構成を表す中央断面図である。
【図４】その画像読取部のイメージセンサの配置を表す平面図である。
【図５】その画像読取部のイメージセンサの配置及び配線を表す斜視図である。
【図６】その画像読取部の後部における配線を表す斜視図である。
【図７】その配線において電線を支持するケースの構成を表す拡大断面図である。
【図８】そのケース及びそれを覆う搬送部カバーの構成を表す断面図である。
【発明を実施するための形態】
【００１４】
次に、本発明の実施形態について一例を挙げて説明する。本実施形態において例示する画像読取装置は、画像読取装置としての機能（スキャン機能）に加え、その他の機能（例えば、プリント機能、コピー機能、ファクシミリ送受信機能など）を兼ね備えた複合機として構成されたものである。なお、以下の説明においては、複合機の各部について、それらの相対的な位置関係をわかりやすくするため、図中に併記した上下左右前後の各方向を利用して説明をする。
【００１５】
［第１実施形態の複合機の構造］
図１（Ａ）に示すように、複合機１は、画像形成部２と、画像形成部２の上側に搭載された画像読取部３と、画像読取部３の上側に搭載された原稿カバー４とを備えている。図１（Ｂ）に示すように、原稿カバー４は、ヒンジ部１０（図６参照）によって画像読取部３の上面における後側の辺を中心に回動可能に構成されている。そして、原稿カバー４は、図１（Ａ）に示す閉位置と図１（Ｂ）に示す開位置との間で開閉動作する。また画像読取部３は画像形成部２の上面における後側の辺を中心に回動可能に構成されている。そして、画像読取部３は、図１（Ａ）に示すように画像形成部２の上面を覆う閉位置と、画像形成部２の上面を露出させる開位置との間で開閉動作する。
【００１６】
画像形成部２は、図示省略したプリンタエンジン（図示省略）及び処理部２００（図５参照）等を内蔵しており、画像形成部２、画像読取部３、及び原稿カバー４に配設された各種機構は、画像形成部２が備える処理部２００によって制御される。
【００１７】
原稿カバー４を開位置へ変位させると、図１（Ｂ）に示すように画像読取部３の上面にある原稿載置面（後述する透明部２５の上面）が露出する。また、図１（Ａ）に示すように、原稿カバー４を閉位置配設すると、原稿カバー４は、原稿載置面を覆う。
【００１８】
画像形成部２の前部上側には、操作者によって操作される操作パネル７が設けられている。また、画像形成部２において、操作パネル７の下方には、印刷後の被記録媒体を排出する排出口８が形成され、更にその下方には、印刷前の被記録媒体が収納される給紙カセット９などが装着されている。
【００１９】
原稿カバー４の上面には、図１（Ａ）及び図２に示すように、開閉式の上面カバー１１が設けられている。この上面カバー１１は、上面カバー１１の右端付近において前後方向へと延びる軸線を中心に、原稿カバー４に対して回動可能に構成されている。上面カバー１１が閉位置にあるときには、図１（Ａ）に示すように下方に向けられていた上面カバー１１の裏面側は、図２に示すように上面カバー１１を開位置へ変位させた際に、斜め上方に向けられる。すると、原稿カバー４の上面には、原稿台１２が露出する。
【００２０】
原稿台１２上には、原稿を前後方向から挟むことによって左右方向に案内する一対の原稿ガイド１３が設けられている。この原稿ガイド１３は、双方とも前後方向へスライド可能で、しかも、一方に連動して他方が前記一方とは逆方向へスライドする仕組みになっている。そのため、一対の原稿ガイド１３の間隔を変更する際には、一方を操作するだけで、双方を互いに接近又は離間する方向へスライドさせることができる。
【００２１】
また、原稿ガイド１３の上端には、仕切板１５が設けられている。搬送対象となる原稿は、この仕切板１５の下方にセットされる。また、後述する搬送経路に沿って原稿が搬送された場合、搬送済みの原稿は、仕切板１５の上方に排出される。
【００２２】
［画像読取部及び原稿カバーの詳細］
図３は、画像読取部３及び原稿カバー４を閉位置に配設し、上面カバー１１を開位置に配設した状態における、画像読取部３及び原稿カバー４の構成を表す中央断面図である。図３に示すように、画像読取部３には、第１イメージセンサ２１（第１読取部の一例）が設けられ、原稿カバー４には、第２イメージセンサ２２（第２読取部の一例）が設けられている。本実施形態において、第１イメージセンサ２１及び第２イメージセンサ２２としては、双方とも密着型イメージセンサ（Contact Image Sensor）が採用されている。
【００２３】
第１イメージセンサ２１は、図示省略したモータによって駆動されて、画像読取部３の内部を左右方向（副走査方向）へ往復移動する構造とされている。また、第２イメージセンサ２２は、原稿カバー４内のフレームに取り付けられている。
【００２４】
また、画像読取部３側には、第１イメージセンサ２１の往復移動経路の上方となる位置に、透明部２５及び第１透明部２７が設けられている。また、原稿カバー４側には、第２イメージセンサ２２の下方となる位置に、第２透明部２８が設けられている。
【００２５】
透明部２５及び第１透明部２７は、双方とも画像読取部３の上面をなす位置にあり、本実施形態においては、これら透明部２５及び第１透明部２７が、単一のガラス板を利用して構成されている。また、第２透明部２８は、本実施形態においては、透明部２５及び第１透明部２７とは別のガラス板を利用して構成されている（図１（Ｂ）参照）。
【００２６】
また、図１（Ｂ）に示すように、原稿カバー４における第１透明部２７との対向位置には、第１イメージセンサ２１に係るシェーディング補正等の補正を行うための第１白基準板３１が設けられている。更に、画像読取部３における第２透明部２８との対向位置には、第２イメージセンサ２２に係るシェーディング補正等の補正を行うための第２白基準板３２が設けられている。第１白基準板３１は、裏側すなわち図３における下側に白テープが貼られた位置合わせ板である。第１白基準板３１は、静止原稿が読み取られる際に、静止原稿の位置合わせに用いられる。第２白基準板３２は、原稿を第２イメージセンサ２２側に押し付けるための押圧板と押圧板に貼られた白テープとを備える。ただし、第２白基準板３２自体が白色をしていてもよい。なお、画像読取装置１は、原稿を第１イメージセンサ２１側に押し付けるための押圧板９９を備える。この押圧板９９の下面に白テープが貼られるないし押圧板９９自体が白色とされて、押圧板９９を第１白基準板としてもよい。
【００２７】
なお、透明部２５及び第１透明部２７は、それぞれが別のガラス板を利用して構成されていてもよい。また、透明部２５、第１透明部２７、及び第２透明部２８の材質は、第１イメージセンサ２１及び第２イメージセンサ２２による原稿の読み取りが可能な透明な材質であれば、ガラス以外の材質であってもよい。
【００２８】
また、原稿カバー４には、図３に示すように、供給ローラ４１、分離ローラ４２、搬送ローラ４３、Ｕターン搬送ローラ４４などのローラ群（搬送部の一例）が設けられ、これらのローラ間には原稿を適正な搬送方向へ案内するためのガイド面を提供する部材も配置されている。そのようなガイド面を提供する部材の一つとして、Ｕターン搬送ローラ４４の左方には、可動式の経路切替部材４５が設けられている。
【００２９】
経路切替部材４５は、経路切替部材４５の下端側において前後方向へと延びる軸線を回動中心として、原稿カバー４に対し回動可能な構造とされている。また、Ｕターン搬送ローラ４４の左方の原稿カバー４外面には、開閉可能なカバー部材４６が設けられている。
【００３０】
以上のように構成された複合機１では、原稿カバー４を利用して原稿を搬送しながら、次のようにその原稿の画像を読み取ることができる。すなわち、原稿カバー４が備えるローラ群が作動されると、供給ローラ４１によって搬送方向上流側から供給される原稿は、分離ローラ４２によって１枚ずつに分離されつつ、更に搬送方向下流側へと搬送される。
【００３１】
そして、搬送ローラ４３により、原稿が搬送方向下流側へと搬送されて、第１透明部２７を挟んで第１イメージセンサ２１と対向する第１読取位置を通過する。続いて、原稿は、第２透明部２８を挟んで第２イメージセンサ２２と対向する第２読取位置を通過し、Ｕターン搬送ローラ４４によって更に搬送される。
【００３２】
このとき、経路切替部材４５及びカバー部材４６が図３に示す位置にあれば、原稿は経路切替部材４５を介して折り返され、仕切板１５の上方に排出される。一方、経路切替部材４５及びカバー部材４６が図３に示す位置から図３における反時計回りに回動していれば、原稿は原稿カバー４の左方へいわゆるストレート排紙される。このようなストレート排紙は、原稿が例えば名刺等の厚紙である場合に利用される。なお、図１では、カバー部材４６の図示を省略している。
【００３３】
また、このように原稿が搬送される間に、片面読取が指定されている場合は、第１イメージセンサ２１によって前記第１読取位置を通過する原稿の画像が読み取られる。一方、両面読取が指定されている場合は、第１イメージセンサ２１によって前記第１読取位置を通過する原稿の画像を読み取る動作と、第２イメージセンサ２２によって前記第２読取位置を通過する原稿の画像を読み取る動作とが、並行して実行される。
【００３４】
［イメージセンサの配置及び配線］
次に、本実施形態では、第１イメージセンサ２１と第２イメージセンサ２２とに同一製品を使用することにより、装置の製造コストを低減を図っている。但し、各センサとして同一製品の密着型イメージセンサを使用した場合、そのセンサを構成する複数の撮像素子の列と、その列に並設された導光部と、前記列の一端側に設けられて前記各撮像素子からの信号を出力するコネクタとの位置関係も同一である。このため、第１イメージセンサ２１と第２イメージセンサ２２とを前述のように前後方向に長尺方向（主走査方向）を揃えて原稿の表裏に対向させると、原稿搬送方向に対する撮像素子Ｓと導光部Ｌと（図７参照）の配列順序か、コネクタ２１Ｅ，２２Ｅ（図４，図５参照）の前後方向の位置か、いずれか一方が異なってしまう。原稿搬送方向に対する撮像素子Ｓ（厳密には、撮像素子Ｓによるラインセンサ及びレンズアレイＡ）と導光部Ｌとの配列順序が第１イメージセンサ２１と第２イメージセンサ２２とで異なると、原稿の先端，後端の検知が難しいといった課題が生じる。なお、第１イメージセンサ２１及び第２イメージセンサ２２の光源は、前後方向において、各々、コネクタ２１Ｅ側及びコネクタ２２Ｅ側にある。
【００３５】
そこで、本実施形態では、図４，図５に示すように、２つの第１イメージセンサ２１，第２イメージセンサ２２のうち、第１イメージセンサ２１のコネクタ２１Ｅを後側に、第２イメージセンサ２２とのコネクタ２２Ｅを前側に、それぞれ配置している。なお、図４において、矢印Ｇは原稿の搬送経路を示している。すなわち、図４（Ａ）に示すように、第１イメージセンサ２１は原稿搬送経路の下側に配設され、図４（Ｂ）に示すように、第２イメージセンサ２２は原稿搬送経路の上側に配設されている。
【００３６】
図５に示すように、コネクタ２１Ｅ，２２Ｅには、それぞれ、例えばフレキシブルフラットケーブル等からなる電線４９（第１電線の一例），６０（第２電線の一例）がそれぞれ接続され、その電線４９，６０は、ヒンジ部１０の近傍を経由して画像形成部２の処理部２００へ配線されている。そのうち、第１イメージセンサ２１の後端側のコネクタ２１Ｅに接続された電線４９は、そのまま画像読取部３の第１イメージセンサ２１の移動範囲を引き回された後、画像形成部２へ配線される。
【００３７】
一方、第２イメージセンサ２２の前端側のコネクタ２２Ｅに接続された電線６０は、第２イメージセンサ２２の上方を前後方向に横切った後に、左側のヒンジ部１０の近傍を通って画像形成部２へ配線される。以下、この配線について詳細に説明する。
【００３８】
図５に示すように、電線６０のうちコネクタ２２Ｅに接続される先端部６１は、そのコネクタ２２Ｅの上方で、蛇腹状（葛折り状）に折り曲げられている。このため、第２イメージセンサ２２は、図１（Ｂ）に示すように原稿カバー４を開位置に配設して、第２透明部２８を取り外した後、先端部６１を平坦に延ばしながら取り出すことができる。したがって、第２イメージセンサ２２は容易に交換することができる。
【００３９】
図５に戻って、先端部６１に連接されて第２イメージセンサ２２の上方を前後方向に水平に渡される水平部６２は、第２イメージセンサ２２を収容するケース９０（図３，図７参照）の上に支持される。水平部６２の後端に連接される電線６０は、２回直角に折り返されることによって台形の折り返し部６３を構成している。折り返し部６３の水平部６２とは反対側の端部に連接される電線６０は、画像読取部３に向かって垂下する垂下部６４を構成している。
【００４０】
図６に示すように、折り返し部６３は、原稿カバー４の後端フレーム７０よりも後側に配設され、その後端フレーム７０に形成されたフック７１に掛けられている。後端フレーム７０は、前述のＵターン搬送ローラ４４などのローラ群に駆動力を伝達するためのギヤ列７２を回転可能に支持している。そのギヤ列７２の側を向いた折り返し部６３の面には、図示省略した両面粘着テープを介して保護板７３（例えばフィルム）が貼着されている。この保護板７３は、電線６０とギヤ列７２との接触を抑制するものである。更に、垂下部６４には、折り返し部６３との連接部分から少し間隔を開けて、貼着部材７４（例えば樹脂板）が貼着されている。
【００４１】
ここで、ヒンジ部１０は、画像読取部３に対して上下動可能で、かつ、原稿カバー４を前述のように回動可能に支持している。このため、原稿カバー４は、ヒンジ部１０と共に下降した下降位置では透明部２５に載置された１枚の単票紙等の原稿を押さえることができる。また、ヒンジ部１０と共に上昇した上昇位置では、透明部２５に載置された本等の原稿を押さえることができる。貼着部材７４は、このような原稿カバー４の上下動に伴って、垂下部６４が画像読取部３に挿入又は抜去されるのを円滑化するためのものである。
【００４２】
［画像読取部内の電線支持構造］
次に、画像読取部３の内部において電線６０（特に水平部６２）を支持するケース９０の構成について詳細に説明する。図７に示すように、ケース９０は下端が開放した前後方向に長尺の箱状に構成され、その下端に第２透明部２８が着脱可能に装着される。第２イメージセンサ２２は、その第２透明部２８の上に配設される。ケース９０の上端面９１（支持部の一例）は、第２イメージセンサ２２の筐体上面（読取面とは反対側の裏面）から間隔を開けた水平面とされており、左右方向両側に一対のガイド部９３が立設されている。電線６０の水平部６２は、この上端面９１上の一対のガイド部９３の間に配設される。
【００４３】
このため、本実施形態では、第２イメージセンサ２２の裏面側の空間を利用して電線６０を前後方向（幅方向）に渡らせることができ、その電線６０を容易に配線することができる。また、電線６０の水平部６２が一対のガイド部９３に挟まれるため、電線６０を安定して保持することができる。
【００４４】
また、ケース９０は樹脂にて構成されており、その上端面９１は第２イメージセンサ２２の裏面から隔離されている。このため、電線６０の水平部６２と第２イメージセンサ２２との間の信号の干渉も抑制され、読み取られた画像のデータに重畳するノイズも低減することができる。更に、水平部６２が一対のガイド部９３に挟まれるため、第２イメージセンサ２２から水平部６２に静電気が伝わる沿面距離も長くなり、前記ノイズを一層良好に低減することができる。
【００４５】
更に、図３に示すように、水平部６２は、Ｕターン搬送ローラ４４などのローラ群やケース９０と共に搬送部カバー１００によって覆われており、これによっても静電気が伝わりにくくなっている。図８は、ケース９０及び搬送部カバー１００の構成を詳細に表す断面図である。なお、図８は、図３の断面とは平行にずれた断面を表している。すなわち、Ｕターン搬送ローラ４４は、前後方向に延びる軸４４Ａに複数のＵターン搬送ローラ４４が間隔を開けて取り付けられた構成を有しており、図４はそのＵターン搬送ローラ４４の一部を横切る断面を表すのに対し、図８はＵターン搬送ローラ４４を横切らない断面を表している。
【００４６】
図８に示すように、搬送部カバー１００は、右側のガイド部９３の更に右側に壁１０２を有しており、左側のガイド部９３の更に左側に鉛直なリブ１０３を有している。また、ケース９０の左端部９５は、Ｕターン搬送ローラ４４の軸４４Ａを越えて更に左側に延びている。搬送部カバー１００の左端部１０５も同様に軸４４Ａを越えて更に左に延び、左端部９５とつながることによって軸４４Ａを外周から覆っている。なお、搬送部カバー１００の左端部１０５には、軸４４Ａを受ける軸受け部１０７が連接されている。
【００４７】
このように、本実施形態では、ケース９０の上端面９１及び一対のガイド部９３が搬送部カバー１００によって裏面側及び原稿搬送方向外側から覆われているので、前記沿面距離が一層長くなり、前記ノイズを一層良好に低減することができる。また、搬送部カバー１００は図８に示すように広い範囲からケース９０を覆っているので、ギヤ列７２等で発生する静電気が電線６０に伝達されるのも抑制することができる。
【００４８】
なお、本発明は前記実施形態に何ら限定されるものではなく、本発明の要旨を逸脱しない範囲で種々の形態で実施することができる。例えば、本発明における電線は、フレキシブルフラットケーブルに限定されるものではなく、種々の電線を適用することができる。また、本発明における第１，第２読取部は、ＣＩＳ単体を意味してもよく、ＣＩＳとそのＣＩＳを保持するホルダとを意味してもよい。
【符号の説明】
【００４９】
１…複合機                  ２…画像形成部              ３…画像読取部
２１…第１イメージセンサ    ２１Ｅ，２２Ｅ…コネクタ    ２２…第２イメージセンサ
４１…供給ローラ            ４２…分離ローラ            ４３…搬送ローラ
４４…Ｕターン搬送ローラ    ４９，６０…電線            ６２…水平部
９０…ケース                ９１…上端面                ９３…ガイド部
１００…搬送部カバー        Ｌ…導光部                  Ｓ…撮像素子
【図１】
2014103455.tif 000003
【図２】
2014103455.tif 000004
【図３】
2014103455.tif 000005
【図４】
2014103455.tif 000006
【図５】
2014103455.tif 000007
【図６】
2014103455.tif 000008
【図７】
2014103455.tif 000009
【図８】
2014103455.tif 000010